(57)【特許請求の範囲】
【請求項１】
予め設定された電圧で点灯する照明と、駆動源となるコントローラとに接続され、照明に一定電圧を印加する定電圧電源を、照明に一定電流を印加する定電流電源に置き換えて、印加する印加する電流を一定として照明を点灯させる照明用電源装置であって、
定電圧電源を定電流電源に置き変えた状態で、前記照明を前記所定電圧で点灯する前に、照明に探査電流を印加して前記所定電圧を印加するのに必要な電流値を探査する探査手段と、
前記照明に、前記探査手段にて探査された電流値の点灯電流を印加する定電流供給手段とを備えたことを特徴とする照明用電源装置。
【請求項２】
前記探査手段は、前記探査電流を微小電流値から順次増加しつつ、照明に所定電圧が印加されるまで探査電流を印加することを特徴とする請求項１に記載の照明用電源装置。
【請求項３】
前記定電流供給手段は、前記照明を前記所定電圧で点灯する前に照明に印加する探査電流と、照明を前記所定電圧で点灯するための点灯電流とを印加するものであることを特徴とする請求項１又は請求項２の照明用電源装置。
【請求項４】
前記照明の最大電流値を設定する設定手段と、
実際に接続されている照明が、予め設定された照明の判定値に基づいて、その照明に対応したものかを判断する判断手段とをさらに備え、
前記探査手段により、照明に前記所定電圧を印加するのに必要な電流値を探査して、探査された電流値の点灯電流を照明に印加する所定電圧探査モードと、
前記設定手段及び判断手段により、実際に接続されている照明が、予め設定された照明の判定値に基づいて、その照明に対応したものかを判断する照明判断モードとのモード選択を可能とする切替手段を設けたことを特徴とする請求項１〜請求項３のいずれか１項の照明用電源装置。
【請求項５】
前記照明は、ＬＥＤと制限抵抗又はＬＥＤのみからなるＬＥＤ照明であり、このＬＥＤ照明に流れる電流値と、この電流値での電圧値とで、この制限抵抗の抵抗値を求める演算手段を備え、この抵抗値をｒとしたときに、ｒ≒０であれば、制限抵抗を有さないＬＥＤ照明とすることを特徴とする請求項１〜請求項４に記載の照明システム。
【請求項６】
画像認識用照明に用いることを特徴とする請求項１〜請求項５のいずれか１項の照明用電源装置。
【請求項７】
予め設定された電圧で点灯する照明と、駆動源となるコントローラとに接続され、照明に一定電圧を印加する定電圧電源を、照明に一定電流を印加する定電流電源に置き替える照明用電源置替方法であって、
定電圧電源と、照明及びコントローラとの接続を解除した後、前記請求項１〜請求項４のいずれか１項の照明用電源装置と、照明及びコントローラとを接続して、
前記照明を前記所定電圧で点灯する前に、探査手段が照明に探査電流を印加して前記所定電圧を印加するのに必要な電流値を探査し、
定電流供給手段が、前記照明に、前記探査手段にて探査された電流値の点灯電流を印加することを特徴とする照明用電源置替方法。
【発明の詳細な説明】
【技術分野】
【０００１】
本発明は、複数個のＬＥＤ照明を定電流供給手段（定電流電源）からの電流でもって点灯させる照明用電源装置および照明用電源装置における電源を替える照明用電源置替方法に関するものである。
【背景技術】
【０００２】
半導体装置を製造する場合、被実装部材としてのリードフレームに半導体チップ（ダイ）を実装するダイボンディングが行なわれる。このダイボンディングには、チップを吸着するコレットを備えたダイボンダが使用される。
【０００３】
このようなダイボンダは、図１１に示すように、供給部２の半導体チップ１を吸着するコレット３を有するボンディングアーム（図示省略）と、供給部２の半導体チップ１を観察する確認用カメラ（図示省略）と、ボンディング位置でリードフレーム４のアイランド部５を観察する確認用カメラ（図示省略）とを備える。
【０００４】
供給部２は半導体ウエハを備え、半導体ウエハが多数の半導体チップ１に分割されている。また、コレット３を保持しているボンディングアームは搬送手段を介して、ピックアップ位置とボンディング位置との間の移動が可能となっている。
【０００５】
また、このコレット３は、その下端面に開口した吸着孔を介してチップ１が真空吸引され、このコレット３の下端面にチップ１が吸着する。なお、この真空吸引（真空引き）が解除されれば、コレット３からチップ１が外れる。
【０００６】
次にこのダイボンダを使用したダイボンディング方法を説明する。まず、供給部２の上方に配置される確認用カメラにてピックアップすべきチップ１を観察して、コレット３をこのピックアップすべきチップ１の上方に位置させた後、矢印Ａのようにコレット３を下降させてこのチップ１をピックアップする。その後、矢印Ｂのようにコレット３を上昇させる。
【０００７】
次に、ボンディング位置の上方に配置された確認用カメラにて、ボンディングすべきリードフレーム４のアイランド部５を観察して、コレット３を矢印Ｃ方向へ移動させて、このアイランド部５の上方に位置させた後、コレット３を矢印Ｄのように下降移動させて、このアイランド部５にチップ１を供給する。また、アイランド部５にチップを供給した後は、コレット３を矢印Ｅのように上昇させた後、矢印Ｆのように、ピップアップ位置の上方の待機位置に戻す。
【０００８】
すなわち、コレット３を、順次、矢印Ａ、Ｂ、Ｃ、Ｄ、Ｅ、Ｆのように移動させることによって、ピックアップ確認用カメラの観察に基づいて位置決めされたチップ１をコレット３でピックアップし、このチップ１をアイランド部５に実装することになる。
【０００９】
このようなダイボンダにおいては、画像認識のために照明システムが用いられる（特許文献１）。また、照明システムには、近年では、通常の電球や蛍光灯に比べて、低消費電力、長寿命、発熱が少ないと優れた特性をもったＬＥＤ照明が用いられる。ＬＥＤ照明とは発光ダイオード（ＬＥＤ）を使用した照明器具である。
【００１０】
ＬＥＤ照明を点灯する場合、従来では電源として、図１２に示すように、構成が比較的単純である定電圧電源１０を使用することがあった。すなわち、定電圧電源１０は、図示省略のコントローラと、夫々定電圧Ｖ（例えば１２Ｖ）にて駆動される照明１、照明２、照明３とに接続され、照明システムを構成している。定電圧電源とは、照明に印加する電圧Ｖを一定にすることで、所定の順電流を確保する点灯方式を採用した電源である。
【００１１】
しかしながら近年では、熱の損失が抑えられ、点灯効率を上げることが可能であり、ＬＥＤ照明の順電圧のばらつきや温度変化による影響も低減できることから、図１３に示すように、定電圧電源に替わり定電流電源１１の使用が望まれることがある。定電流電源とは、ＬＥＤ照明の順電流を一定にする定電流点灯方式を採用した電源である。
【００１２】
定電圧電源１０と、コントローラと、照明１〜照明３とで構成された図１２に示す照明システムから図１３に示す照明システムを構成する際、定電圧電源１０を定電流電源１１に置き替える。この場合、照明１〜照明３を、図１２に示す照明システムと同じ明るさで点灯させるためには、コントローラが予め定電圧Ｖが得られる電流値Ｉ１〜Ｉ３を探査し、夫々の照明１〜３に対して、探査によって得られた電流値Ｉ１〜Ｉ３の電流を印加するように設定する必要がある。
【００１３】
なお、従来には、ＬＥＤの異常を検出するＬＥＤ異常検出回路等がある（特許文献２）。この場合、ＬＥＤのオープンやショート等の故障を検出するためものである。
【先行技術文献】
【特許文献】
【００１４】
【特許文献１】特開２００１−３１３３０３号公報
【特許文献２】特開２０１０−２８７６１１号公報
【発明の概要】
【発明が解決しようとする課題】
【００１５】
定電圧電源１０を定電流電源１１に置き替えた場合、置き替え後も照明１〜３を同様の明るさで点灯するためには、前記したようにコントローラが、予め電圧Ｖが得られる電流値Ｉ１〜Ｉ３を探査し、夫々の照明１〜３に電流値Ｉ１〜Ｉ３の電流を印加するように設定する工程が必要である。このとき、夫々の照明１〜３において電流値Ｉ１〜Ｉ３の設定を誤ったり、照明の接続を誤ったりすると、照明に適切な電流が流れない。照明に過剰な電流が流れると、場合によっては照明が故障することがあり、照明に流れる電流が不足すると、照明効果が十分に得られない可能性がある。
【００１６】
なお、特許文献２では、ＬＥＤのオープンやショート等の故障を検出するためのものであって、ＬＥＤ自体の故障を検知するものであって、接続されているＬＥＤ照明が間違っているかの判断を行えるものではない。
【００１７】
本発明は、上記課題に鑑みて、コントローラ及び照明に接続された定電圧電源を、簡単な作業で置き替えることができ、置き替え後は点灯電流を正確に印加することができる照明用電源装置及び照明用電源置替方法を提供する。
【課題を解決するための手段】
【００１８】
本発明の照明用電源装置は、予め設定された電圧で点灯する照明と、駆動源となるコントローラとに接続され、照明に一定電圧を印加する定電圧電源を、照明に一定電流を印加する定電流電源に置き換えて、印加する印加する電流を一定として照明を点灯させる照明用電源装置であって、定電圧電源を定電流電源に置き変えた状態で、前記照明を前記所定電圧で点灯する前に、照明に探査電流を印加して前記所定電圧を印加するのに必要な電流値を探査する探査手段と、前記照明に、前記探査手段にて探査された電流値の点灯電流を印加する定電流供給手段とを備えたものである。                                                                                
【００１９】
本発明の照明用電源装置によれば、コントローラ及び照明に接続すると、照明を所定電圧で点灯する前に、探査手段が所定電圧を印加するのに必要な電流値を自動で探査する。すなわち、コントローラが予め所定電圧を印加するのに必要な電流値を探査し、各照明に対して、探査によって得られた電流値の点灯電流を印加するように設定する工程を省略できるため、設置作業としては、本発明の照明用電源装置を、照明及び既存のコントローラに接続するだけでよい。これにより、オペレータが、予め所定電圧を印加するのに必要な電流値を探査し、各照明に対して、探査によって得られた電流値の点灯電流を印加するように設定する必要がなくなる。また、本発明の照明用電源装置を、コントローラ及び照明に接続した後で電流値の探査を行い、続いて点灯電流を印加するため、仮に照明の誤接続があったとしても、その照明に印加すべき点灯電流を正確に印加することができる。
【００２０】
前記構成において、前記探査手段は、前記探査電流を微小電流値から順次増加しつつ、照明に所定電圧が印加されるまで探査電流を印加するものとできる。
【００２１】
前記構成において、前記定電流供給手段は、前記照明を前記所定電圧で点灯する前に照明に印加する探査電流と、照明を前記所定電圧で点灯するための点灯電流とを印加するものとできる。すなわち、定電流供給手段は、探査電流を印加する手段と点灯電流を印加する手段とを兼用する。
【００２２】
前記構成において、前記照明の最大電流値を設定する設定手段と、実際に接続されている照明が、予め設定された照明の判定値に基づいて、その照明に対応したものかを判断する判断手段とをさらに備え、前記探査手段により、照明に前記所定電圧を印加するのに必要な電流値を探査して、探査された電流値の点灯電流を照明に印加する所定電圧探査モードと、前記設定手段及び判断手段により、実際に接続されている照明が、予め設定された照明の判定値に基づいて、その照明に対応したものかを判断する照明判断モードとのモード選択を可能とする切替手段を設けることができる。これにより、判断手段によって、実際に接続されている照明が、その機種に対応したものかを判断することもできる。
【００２３】
前記照明は、ＬＥＤと制限抵抗又はＬＥＤのみからなるＬＥＤ照明であり、このＬＥＤ照明に流れる電流値と、この電流値での電圧値とで、この制限抵抗の抵抗値を求める演算手段を備え、この抵抗値をｒとしたときに、ｒ≒０であれば、制限抵抗を有さないＬＥＤ照明とするものであってもよい。
【００２４】
前記照明用電源装置を画像認識用照明に用いることができる。画像処理用の照明は、定電圧にて駆動されることを前提としたものが多いため、本発明の照明用電源装置を多くの画像認識用照明に適用することができる。
【００２５】
本発明の照明用電源置替方法は、予め設定された電圧で点灯する照明と、駆動源となるコントローラとに接続され、照明に一定電圧を印加する定電圧電源を、照明に一定電流を印加する定電流電源に置き替える電源置替方法であって、定電圧電源と、照明及びコントローラとの接続を解除した後、前記本発明の照明用電源装置と、照明及びコントローラとを接続して、前記照明を前記所定電圧で点灯する前に、電源装置の探査手段が照明に探査電流を印加して前記所定電圧を印加するのに必要な電流値を探査し、電源装置の定電流供給手段が、前記照明に、前記探査手段にて探査された電流値の点灯電流を印加するものである。
【００２６】
本発明の照明用電源置替方法によれば、前記本発明のいずれかの照明用電源装置をコントローラ及び照明に接続すると、照明を所定電圧で印加する前に所定電圧を印加するのに必要な電流値を自動で探査するため、オペレータが、予め所定電圧を印加するのに必要な電流値を探査し、各照明に対して、探査によって得られた電流値の点灯電流を印加するように設定する必要がなくなる。また、仮に照明の誤接続があったとしても、その照明に印加すべき点灯電流を正確に印加することができる。
【発明の効果】
【００２７】
本発明の照明用電源装置及び照明用電源置替方法では、定電圧電源から定電流電源への設置作業（置替作業）の際には、照明及び既存のコントローラに接続するだけでよく、オペレータによる電流値の設定作業が不要となるため、設置作業（置替作業）の手間を省くことができ、簡単に定電圧電源から定電流電源に置き替えることができる。また、コントローラ及び照明に接続した後に電流値の探査を行うため、照明の誤接続があったとしても、その照明に印加すべき電流値を探査して点灯電流を正確に印加することができ、過剰な電流が流れて照明が故障したり、照明に流れる電流が不足して照明効果が不十分となることを防止できる。
【００２８】
所定電圧が印加されるまで探査電流を微小電流値から順次増加すると、電流値の探査を高精度に行うことができ、しかも、照明に対して急激に過剰な電流値の電流が印加されず、照明の損傷を有効に防止できる。
【００２９】
前記定電流供給手段は、探査電流を印加する手段と点灯電流を印加する手段とを兼用したものであると、装置構成を簡単なものとできるため、小型化でき、省スペースなものとできる。
【００３０】
前記照明はＬＥＤと制限抵抗とからなるＬＥＤ照明であり、制限抵抗の抵抗値をｒとしたときに、演算手段にて演算された演算値を判断手段によってｒ≒０であるか否かを判断するものでは、制限抵抗を有さないものに対する電流の流し過ぎを防止でき、接続間違いしたＬＥＤ照明に対する損傷を有効に回避することができる。
【００３１】
照明に前記所定電圧を印加するのに必要な電流値を探査して、探査された電流値の点灯電流を照明に印加する所定電圧探査モードと、実際に接続されている照明が、予め設定された照明の判定値に基づいて、その照明に対応したものかを判断する照明判断モードとの選択を可能なものとすると、前記したような電源装置の置き替えを行わない場合であっても使用することができ、適用範囲を拡大することができる。
【００３２】
本発明の照明用電源装置を画像認識用照明に用いれば、画像認識のための最適な照度でもって被画像認識物に対して照明することができ、高精度の画像認識が可能となる。
【図面の簡単な説明】
【００３３】
【図１】本発明の第１実施形態を示す照明用電源装置の簡略全体ブロック図である。
【図２】ダイボンダの斜視図である。
【図３】前記図１に示す照明用電源装置の使用方法を示すフローチャート図である。
【図４】本発明の第２実施形態を示す照明用電源装置の簡略全体ブロック図である。
【図５】前記図４に示す照明用電源装置の使用方法を示すフローチャート図である。
【図６】ＬＥＤ照明の回路図である。
【図７】ＬＥＤ照明のＬＥＤの電流・電圧特性を示すグラフ図である。
【図８】ＬＥＤ照明の制限抵抗の電流・電圧特性を示すグラフ図である。
【図９】ＬＥＤ照明のＬＥＤと抵抗の合成電圧を示すグラフ図である。
【図１０】ＬＥＤ照明の制限抵抗を判断要素に用いた場合のフローチャート図である。
【図１１】ダイボンディング工程を示す簡略図である。
【図１２】従来の定電圧電源を使用した照明システムの簡略ブロック図である。
【図１３】従来の定電流電源を使用した照明システムの簡略ブロック図である。
【発明を実施するための形態】
【００３４】
以下本発明の実施の形態を図１〜図１１に基づいて説明する。
【００３５】
図１に本発明の第１実施形態にかかる照明用電源装置を使用した照明システムの簡略全体ブロック図を示し、この照明システムは、例えば、図２等に示す被照明装置であるダイボンダの画像確認用に用いられる。ダイボンダは、リードフレーム２４に半導体チップ（ダイ）２１を実装するダイボンディングを行うものである。
【００３６】
このようなダイボンダは、供給部２２の半導体チップ（ダイ）２１を吸着するコレット２３を有するボンディングアーム３０と、供給部２２の半導体チップ２１を観察する確認用カメラ２６と、ボンディング位置でリードフレーム２４のアイランド部２５を観察する確認用カメラ３２とを備える。
【００３７】
供給部２２は、ウエハ支持装置２７に載置支持された半導体ウエハ２８を備えるものである。半導体ウエハ２８は多数の半導体チップ２１に分割されている。また、コレット２３はコレットホルダ２９に連結され、このコレット２３とコレットホルダ２９等でボンディングアーム３０が構成される。そして、このボンディングアーム３０は搬送手段３１を介して、ピックアップ位置とボンディング位置との間の移動が可能となっている。搬送手段３１は、ボンディングアーム３０をＸ、Ｙ、θ及びＺ方向に駆動させることができる。
【００３８】
また、このコレット２３は、その下端面に開口した吸着孔を介してチップ２１が真空吸引され、このコレット２３の下端面にチップ２１が吸着する。なお、この真空吸引（真空引き）が解除されれば、コレット２３からチップ２１が外れる。
【００３９】
次に、このダイボンダを使用したダイボンディング方法を説明する。まず、供給部２２の上方に配置される確認用カメラ２６にてピックアップすべきチップ２１を観察して、コレット２３をこのピックアップすべきチップ２１の上方に位置させた後、このコレット２３を下降させてこのチップ２１をピックアップする。
【００４０】
また、ボンディング位置の上方に配置された確認用カメラ３２にて、ボンディングすべきリードフレーム２４のアイランド部２５を観察して、矢印Ａ１に示すように、このアイランド部２５上にコレット２３を移動させ、その後コレット２３を下降させてアイランド部２５にチップ２１を供給する。
【００４１】
ピックアップ位置での確認用カメラ２６での観察の際、及びボンディング位置での確認用カメラ３２での観察の際において、観察部位を照明する照明システムが必要となる。このために、図１に示すようなコントローラ４１（以下、上位コントローラ４１という）と、本発明の照明用電源装置４２（以下、電源装置という）と、照明４３から構成される照明システムを用いる。
【００４２】
電源装置４２は、図１に示すように、上位コントローラ４１と、複数個の照明４３とに接続される。本実施形態では、照明４３を夫々所定電圧（例えば１２Ｖ）にて駆動されるＬＥＤ照明としており、以下、照明４３をＬＥＤ照明４３という。上位コントローラ４１は、例えばパーソナルコンピュータにて構成されている。
【００４３】
電源装置４２は、ＣＰＵ（中央処理装置）４５と、複数の定電流駆動回路４６と、複数の電圧測定回路４７と、複数のＡＤＣ（アナログ-デジタル変換回路）４８とを備える。この場合、一つのＬＥＤ照明４３に対して、電流を印加するために定電流供給回路（定電流供給手段）５０が形成される。すなわち、各定電流供給回路５０は、ＣＰＵ４５と、定電流駆動回路４６と、電圧測定回路４７と、ＡＤＣ４８等で構成される。定電流供給回路５０は、ＣＰＵ４５からの指示で定電流駆動回路４６にて所定の電流値をＬＥＤ照明４３に印加する。なお、上位コントローラ４１とＣＰＵ４５とは通信ポート５１を介して接続されている。
【００４４】
ところで、ＣＰＵ４５には、ＬＥＤ照明４３を所定電圧（１２Ｖ）で点灯する前に、ＬＥＤ照明４３に探査電流を印加して１２Ｖを印加するのに必要な電流値を探査する探査手段５２が設けられている。すなわち、探査手段５２は、微小電流値（例えば１０ｍＡ）の探査電流を印加するように指示すると、定電流供給回路５０の定電流駆動回路４６が１０ｍＡの電流値をＬＥＤ照明４３に印加する。電圧測定手段４７がこのときの出力電圧を測定し、探査手段５２に送信する。探査手段５２は、ＬＥＤ照明４３に１２Ｖ印加されるまで（つまり、電圧測定手段４７による電圧測定値が１２Ｖとなるまで）、電流値を順次増加しつつ、ＬＥＤ照明４３に１２Ｖが印加されるまで探査電流を印加する。そして、ＬＥＤ照明４３に１２Ｖ印加されると、探査手段５２は、そのときの電流値をＬＥＤ照明４３の点灯に必要な点灯電流として、その点灯電流を印加してＬＥＤ照明４３を点灯させる。
これにより、ＬＥＤ４３照明は１２Ｖで点灯し続ける。
【００４５】
次に、予め設定された電圧（本実施形態の場合、１２Ｖ）で点灯するＬＥＤ照明４３と、ＬＥＤ照明４３に一定電圧を印加する定電圧電源と、駆動源となる上位コントローラ４１とが接続された照明システムのうち、定電圧電源（図示省略）を、定電流電源（印加する電流を一定として照明を点灯させる方式の電源）である前記本発明の電源装置４２に置き替える電源置替方法、及び置替後の照明システムの使用方法について、図３に示すフローチャート図等に基づいて説明する。まず、定電圧電源と、ＬＥＤ照明４３及び上位コントローラ４１との接続を解除した後（ステップＳ１）、本発明の電源装置４２と、ＬＥＤ照明４３及び上位コントローラ４１とを接続し（ステップＳ２）、照明システムを構成する。このとき、上位コントローラ４１は、所定電圧（１２Ｖ）が得られる電流値を探査する必要はない。
【００４６】
本照明システムの主電源を投入し、探査手段５２は、微小電流値（例えば１０ｍＡ）の探査電流をＬＥＤ照明４３に印加するように指示する（ステップＳ３）と、定電流供給回路５０の定電流駆動回路４６が１０ｍＡの電流値の探査電流をＬＥＤ照明４３に印加して、ＬＥＤ照明４３を点灯させる。電圧測定手段４７がこのときの出力電圧を測定し（ステップＳ４）、探査手段５２に送信する。
【００４７】
このとき、探査手段５２は、出力電圧が１２Ｖよりも小さいか否かを判断する（ステップＳ５）。１２Ｖよりも小さければ、探査手段５２は、ＬＥＤ照明４３に１２Ｖが印加されるまで（つまり、電圧測定手段４７による電圧測定値が１２Ｖとなるまで）、電流値を増加し（ステップＳ６）、ＬＥＤ照明４３に１２Ｖ印加されるまでステップＳ４からステップＳ６を繰り返して探査電流を印加する。
【００４８】
ＬＥＤ照明４３の印加電圧が１２Ｖになると（ステップＳ５）、探査手段５２は、そのときの電流値をＬＥＤ照明４３の点灯に必要な点灯電流として（ステップＳ７）、その後は、その点灯電流を印加してＬＥＤ照明を１２Ｖで点灯させる（ステップＳ８）。このとき、点灯電流は、定電流供給手段５０にて印加される。すなわち、定電流供給手段５０は、探査電流と点灯電流との両方を印加することができる。本照明システムを終了する場合は（ステップＳ９）主電源を切る。
【００４９】
本発明の第１実施形態に係る電源装置では、定電圧電源から定電流電源への設置作業（置替作業）の際には、ＬＥＤ照明４３及び既存の上位コントローラ４１に接続するだけでよく、オペレータによる電流値の設定作業が不要となるため、設置作業（置替作業）の手間を省くことができ、簡単に定電圧電源から定電流電源に置き替えることができる。また、本発明の電源装置４２を上位コントローラ４１及びＬＥＤ照明４３に接続した後に電流値の探査を行うため、ＬＥＤ照明４３の誤接続があったとしても、そのＬＥＤ照明４３に印加すべき電流値を探査して点灯電流を正確に印加することができ、過剰な電流が流れてＬＥＤ照明４３が故障したり、ＬＥＤ照明４３に流れる電流が不足して照明効果が不十分となることを防止できる。
【００５０】
図４は、本発明の第２実施形態に係る照明用電源装置５６（以下、電源装置という）を使用した照明システムを示す。第２実施形態の電源装置５６は、前記第１実施形態の電源装置の探査手段５２により、ＬＥＤ照明４３に所定電圧１２Ｖを印加するのに必要な電流値を探査して、探査された電流値の点灯電流をＬＥＤ照明４３に印加する所定電圧探査モードを備えている。さらに、後述する設定手段５４と、判断手段５５とにより、実際に接続されているＬＥＤ照明４３が、予め設定されたＬＥＤ照明４３の判定値に基づいて、そのＬＥＤ照明４３に対応したものかを判断する照明判断モードを備えている。そして、これらのモードを選択できる切替手段５７（切替スイッチ）を設けている。
【００５１】
すなわち、ＣＰＵ４５には、探査手段５２に加えてさらに設定手段５４及び判断手段５５が設けられている。設定手段５４は、ＬＥＤ照明４３の最大電流値を設定するものであり、ＬＥＤ照明４３の最大電流値等のデータを備えたテーブルを設定する。テーブルのデータとしては、例えば、次の表１に示すものである。この場合、ＬＥＤ照明４３を１ｃｈ、２ｃｈ、３ｃｈの３種類とした。そして、各ＬＥＤ照明４３に、判定電流値、判定最小電圧値、判定最大電圧値を設定した。また、各ＬＥＤ照明４３には最大電流値がある。
【表１】
0005946712.tif 000002
【００５２】
判断手段５５は、実際に接続されているＬＥＤ照明４３が、予め設定されたＬＥＤ照明４３の判定値に基づいて、そのＬＥＤ照明４３に対応したものかを判断するものである。
【００５３】
定電流供給回路５０は、ＣＰＵ４５からの指示で定電流駆動回路４６が所定の電流値の電流をＬＥＤ照明４３に印加する。そして、この電流の印加による電圧を電圧測定回路４７で検知（測定）して、測定した電圧をＡＤＣ４８を介してＣＰＵ４５に入力する。ＣＰＵ４５では入力されているテーブルのデータを比較して、電流値が所定値に達するまで、印加する電流値を順次増加していくものである。また、このＣＰＵ４５の判断手段５５は、後述するように、ＬＥＤ照明４３がそれに対応する装置（ダイボンダ等）に接続されているか否かを判断する。
【００５４】
また、警告発生手段４４が設けられており、判断手段５５にて、ＬＥＤ照明４３がそれに対応する装置（ダイボンダ等）に接続されていないと判断された場合に、警告を発生させるためのものである。警告としては、警告音を発生させるものであっても、警告ランプを点灯させるようなものであってもよい。また、警告音の発生と、警告ランプの点灯とを行うものであってもよい。
【００５５】
所定電圧探査モードと照明判断モードとのいずれを選択するかは、電源装置５６の用途や、接続されているＬＥＤ照明４３に応じて選択する。すなわち、前記実施形態１で説明したように、所定電圧で点灯するＬＥＤ照明４３に接続された定電源装置の置き替えを行う場合は、所定電圧探査モードを選択し、それ以外の場合は、照明判断モードを選択する。所定電圧探査モードを選択した場合の照明システムの使用方法は、前記第１実施形態の図３のステップＳ３〜エンドまでと同様であるので、以下、照明判断モードを選択した場合の照明システムの使用方法を図５に示すフローチャート図等に基づいて説明する。
【００５６】
まず、複数種の相違している装置（この場合、ダイボンダ）にＬＥＤ照明４３をそれぞれ接続する。そして、本照明システムの主電源を投入する。このように電源が投入されれば、上位コントローラ４１からダイボンダの機種を表す設定番号を電源装置５６側、つまりＣＰＵ４５が受信する。その機種で採用されているＬＥＤ照明４３の組み合わせに合わせて、最大電流値を各チャンネルにおいて設定する。すなわち、図５のように、本照明システムをセットする（ステップＳ１１）。
【００５７】
次に、ＬＥＤ照明４３に微小電流値の電流を印加する（ステップＳ１２）。その後は、順次電流値を判定電流値に達するまで増加させる（ステップＳ１３）。この判定電流値に達するまでに、判定最大電圧値に達する場合がある。このため、判定最大電圧値を越えたか否かを判定する（ステップＳ１４）。なお、電流値の増加は連続状に増加させても、ステップ状に増加させてもよい。
【００５８】
ステップＳ１４で判定最大電圧値を越えた場合（判定電流値に達する前に判定最大電圧値を越えた場合）、不合格と判定する（ステップＳ１５）。すなわち、各装置にＮｏ，１〜Ｎｏ，３のチャンネルが付され、各チャンネルには、前記表１に示すように、判定電流値、判定最小電圧値、判定最大電圧値、及び最大電流値が設定されている。このため、例えば、チャンネル１のＬＥＤ照明４３が不合格と判定されるのは、電流値が１５００ｍＡに達する前に、１０．０Ｖを越えた場合である。チャンネル２のＬＥＤ照明４３が不合格と判定されるのは、電流値が４００ｍＡに達する前に、１２．５Ｖを越えた場合である。チャンネル３のＬＥＤ照明４３が不合格と判定されるのは、電流値が３５０ｍＡに達する前に、４．０Ｖを越えた場合である。
【００５９】
ステップＳ１５で不合格と判定されれば、警告を発することになる（ステップＳ１６）。このように警告が発生されれば、作業者は、警告が発生された装置（ダイボンダ）にセットされているＬＥＤ照明がこのダイボンダに対応したものではないと認識することができる。これによって、このような対応しないＬＥＤ照明４３をセットしたままダイボンディング作業を行うのを防止できる。
【００６０】
また、ステップＳ１４で最大判定電圧値を越えていない場合、判定電流値になったかを判定する（ステップＳ１７）。ステップＳ１４で判定電流値になっていない場合は、ステップＳ１３に戻る。すなわち、判定電流値になるまで電流値を増加させる。そして、判定電流値になれば、その際の電圧値が判定電圧値が否かを判定する（ステップＳ１８）。すなわち、表１の判定最小電圧値と判定最大電圧値との間の範囲に入っているかを判定し、この範囲に入っていれば、合格とする。この範囲に入っていなければ、ステップＳ１５に移行して、不合格と判定する。
【００６１】
この実施形態の場合、チャンネル１では、判定電流値が１５００ｍＡであり、電圧値が、８．０Ｖから１０．０Ｖの範囲であれば合格である。チャンネル２では、判定電流値が４００ｍＡであり、電圧値が、１０．０Ｖから１２．５Ｖの範囲であれば合格である。チャンネル２では、判定電流値が３５０ｍＡであり、電圧値が、２．５Ｖから４．０Ｖの範囲であれば合格である。
【００６２】
このように合格と判定されれば（ステップＳ１９）、被照明装置（ダイボンダ）にセットされている各ＬＥＤ照明がこのダイボンダに対応したものである。このため、このＬＥＤ照明をセットしたまま、このダイボンダにてダイボンディング工程を行うことができる。
【００６３】
このように、第２実施形態の電源装置も、前記第１実施形態の電源装置と同様の作用効果を奏する。特に、第２実施形態の電源装置では、所定電圧探査モードと、照明判断モードとの選択を可能なものとしているので、第１実施形態で説明したような電源装置の置き替えを行わない場合であっても使用することができ、適用範囲を拡大することができる。
【００６４】
ところで、ＬＥＤ照明４３は、一般には図６に示すように、ＬＥＤ６０とこれに直列に接続される制限抵抗６１とからなる。これに対して、このような制限抵抗６１を有さないＬＥＤ照明４３もある。電圧がある値に達するまで電流値を上昇させていった際に、制限抵抗６１を有さないＬＥＤ照明４３の場合、電圧の上昇が頭打ちとなり、電流を流してしまうおそれがある。このため、ＬＥＤ照明４３では、このような制限抵抗６１を有するものか有さないものかを判断するのが好ましいといえる。この図６の回路に流れる電流ＩをΔＩだけ増加させて、電圧ＶがΔＶだけ増加したとした場合、制限抵抗６１の抵抗値ｒは、ｒ≒ΔＶ／ΔＩで求めることができる。
【００６５】
図７はＬＥＤ照明４３のＬＥＤ６０の電流・電圧特性の一例を示している。この場合の電流Ｉ（ｍＡ）と電圧Ｖｆ（Ｖ）は次の表２の値である。また、図８はＬＥＤ照明４３の制限抵抗６１の電流・電圧特性の一例を示している。この場合の電流Ｉ（ｍＡ）と電圧Ｖｒ（Ｖ）は次の表３の値であり、抵抗を０．１と小さくしている。これは制限抵抗６１がない場合に相当する。
【００６６】
【表２】
0005946712.tif 000003
【００６７】
【表３】
0005946712.tif 000004
このため、図７に示す電流・電圧特性を有すると、図８に示す電流・電圧特性とを合成電圧は図９に示す特性となる。すなわち、次の表４に示すように、電流Ｉ（ｍＡ）と電圧Ｖ（Ｖ）は、表２の値と表３の値との合成値となる。
【００６８】
【表４】
0005946712.tif 000005
制限抵抗６１の抵抗値ｒが低い場合、前記所定電圧（１２Ｖ）を掛けると、このＬＥＤ照明４３に大電流が流れ、ＬＥＤ６０が故障するおそれがある。このため、この装置では、電圧がある値（所定電圧の１２Ｖ）に達するまで、電流を上昇させた場合、制限抵抗６１が入っていない場合、電圧の上昇が頭打ちとなって、電流を流し過ぎとなる。なお、小型の照明装置では、図９の範囲Ｈでも故障するおそれがある。
【００６９】
そこで、接続したＬＥＤ照明４３が制限抵抗６１が入っているもの入っていないものかを判断するのが好ましい。このため、本発明では、制限抵抗６１の抵抗値を前記判断手段５５の判断基準に付加ためには、ＬＥＤ照明４３に流れる電流値と、この電流値での電圧値とで、この制限抵抗６１の抵抗値を求める演算手段６２を、図１の仮想線で示すように、設ける必要がある。
【００７０】
制限抵抗６１の抵抗値を判断要素に加えた判断方法を図１０を用いて説明する。この場合、図３のステップＳ３や図５のステップＳ１３からスタートすることになる。ステップＳ２１で、制限抵抗６１の抵抗値を求める。すなわち、電流ＩをΔＩだけ増加させて、電圧ＶがΔＶだけ増加したとした場合において、制限抵抗６１の抵抗値ｒは、ｒ≒ΔＶ／ΔＩで求めることができる。
【００７１】
次に、ステップＳ２２でこの抵抗値ｒが、ｒ≒０であるか判断される。ｒ≒０でなければ、制限抵抗６１が入っていることになって、図３のステップＳ３や図５のステップＳ１３に戻ることになる。また、ステップＳ２２でｒ≒０であれば、制限抵抗６１が入っていないことになって、ステップＳ２３へ移行して点灯を中止して、終了する。
【００７２】
このように、制限抵抗６１の抵抗値をｒとしたときに、ｒ≒０であれるか否かを判断するものでは、制限抵抗６１を有さないものに対する電流の流し過ぎを防止でき、接続間違いしたＬＥＤ照明４３に対する損傷を有効に回避することができる。
【００７３】
この場合、ＬＥＤ照明４３において、電流Ｉを変化させても、ＬＥＤ６０の順方向電圧Ｖｆの変化は無視可能な程度に小さいという、一般的なＬＥＤに共通した特徴を利用したことになる。このため、市場に流通している市販のＬＥＤ照明に対して、改造等を付加することなく、制限抵抗６１の抵抗値ｒを測ることができ、接続間違いによるＬＥＤ照明４３の損傷を防止できる。しかも、装置として複雑化やコスト高を招くことがない。
【００７４】
以上、本発明の実施形態につき説明したが、本発明は前記実施形態に限定されることなく種々の変形が可能であって、例えば、ＬＥＤ照明４３の数としては、少なくとも１個あればよい。また、所定電圧としては１２Ｖに限らず、種々の設定電圧とすることができる。この電源装置を使用する照明システムとしては、ダイボンダに限るものではなく、照明を必要とする各種の装置に使用でき、予め設定された電圧で点灯する照明を必要とする装置に最適となる。
【００７５】
また、図７に示すＬＥＤ照明４３のＬＥＤ６０の電流・電圧特性や図８に示すＬＥＤ照明４３の制限抵抗６１の電流・電圧特性等は、図例のものに限るものではない。このため、図９に示すＬＥＤ６０と制限抵抗６１の合成電圧も図例のものに限らない。
【符号の説明】
【００７６】
４１   コントローラ
４２、５６   照明用電源装置
４３   ＬＥＤ照明
５０   定電流供給回路（定電流供給手段）
５２   探査手段
５４   設定手段
５５   判断手段
５７   切替手段
６０   ＬＥＤ
６１   制限抵抗
６２   演算手段
【図１】
0005946712.tif 000006
【図２】
0005946712.tif 000007
【図３】
0005946712.tif 000008
【図４】
0005946712.tif 000009
【図５】
0005946712.tif 000010
【図６】
0005946712.tif 000011
【図７】
0005946712.tif 000012
【図８】
0005946712.tif 000013
【図９】
0005946712.tif 000014
【図１０】
0005946712.tif 000015
【図１１】
0005946712.tif 000016
【図１２】
0005946712.tif 000017
【図１３】
0005946712.tif 000018